(57)【要約】【課題】着脱可能な集塵部を備えた電気掃除機において、本体の強度を確保するとともに、集塵部の着脱性を向上することを目的とする。【解決手段】吸引風を発する電動送風機１２、吸引した塵埃を捕集し可視性を有する材料から形成された集塵部１１を有する本体７を備え、前記集塵部１１を前記本体７に収納した際に、前記本体７が有する係止部Ａ３６と前記集塵部１１が有する係止部Ｂ３７とが連結するとともに、前記集塵部１１に対向する前記本体７の外郭の少なくとも一部を可視性を有する材料にて形成したもので、本体７の剛性を上げ、強度を向上できるとともに、使用性も向上できる。【選択図】  図２
2004321284.tif 000002
【特許請求の範囲】
【請求項１】
吸引風を発する電動送風機、吸引した塵埃を捕集し可視性を有する材料から形成された集塵部を有する本体を備え、前記集塵部を前記本体に収納した際に、前記本体が有する係止部Ａと前記集塵部が有する係止部Ｂとが連結するとともに、前記集塵部に対向する前記本体の外郭の少なくとも一部を可視性を有する材料にて形成した電気掃除機。
【請求項２】
集塵部は塵埃を含んだ吸引風を流入する吸気口を有し、前記吸気口の近傍にて、係止部Ａと係止部Ｂとが連結する構成とした請求項１記載の電気掃除機。
【請求項３】
集塵部は、前記集塵部に流入および排出する空気の漏れを防止するシール部材を有するとともに、係止部Ａと係止部Ｂが連結したとき、前記シール部材の少なくとも一方は、対向部品に接触しないように構成した請求項１または２記載の電気掃除機。
【請求項４】
係止部Ａと係止部Ｂを連結した状態で、本体に対し集塵部が移動可能な構成とした請求項１〜３のいずれか１項に記載の電気掃除機。
【請求項５】
係止部Ａと係止部Ｂを連結した状態で、係止部Ａに対し係止部Ｂが移動可能な構成とした請求項４記載の電気掃除機。
【請求項６】
係止部Ａに対し係止部Ｂを弾性体にて附勢する構成とした請求項５記載の電気掃除機。
【請求項７】
シール部材は、リップ形状部を有する請求項３〜６のいずれか１項に記載の電気掃除機。
【請求項８】
集塵部に流入および排出する空気の漏れを防止するシール部材を、共に集塵部側に設けた請求項３〜７のいずれか１項に記載の電気掃除機。
【発明の詳細な説明】
【０００１】
【発明の属する技術分野】
本発明は、本体より取外し可能な集塵部を備えた電気掃除機に関するものである。
【０００２】
【従来の技術】
従来の、本体より集塵部が取り外し可能な電気掃除機は、集塵部には、吸込具に連通する吸気口、電動送風機に連通する排気口、前記吸気口や前記排気口からの空気のエアータイトを行うパッキンが設けられており、前記２箇所のパッキンは挿入状態で圧接となる構成のものであった（例えば、特許文献１、特許文献２参照）。また、集塵部収納部は集塵室を挿入するために、１面が開放状態の構成となり、また、集塵部が集塵部収納部に収納した状態で集塵部内の塵埃を目視出来るように本体の側面等に切り欠きまたは孔を構成するものもあった。
【０００３】
【特許文献１】
特開平９−２５３０１１号公報
【特許文献２】
特開２０００−３４２４９２号公報
【０００４】
【発明が解決しようとする課題】
ところがこのような着脱式の集塵部を有した電気掃除機においては、集塵部収納部は集塵室を挿入するために、１面が開放状態の構成となり、また、集塵部が集塵部収納部に収納した状態で集塵部内の塵埃を目視出来るように本体の側面等に切り欠きまたは孔を構成するため、本体自体の剛性が悪くなり強度が低下するという欠点があった。
【０００５】
また、エアータイトを行うため集塵部を集塵部収納部の所定の位置に挿入した際にはパッキンが圧接状態となっている。そのため、集塵部の着脱には大変大きな力が必要で使用性に欠点があった。
【０００６】
本発明は上記課題を解決するもので、着脱可能な集塵部を備えた電気掃除機において、本体の強度を確保するとともに、集塵部の着脱性を向上することを目的とする。
【０００７】
【課題を解決するための手段】
上記目的を達成するために本発明は、吸引風を発する電動送風機、吸引した塵埃を捕集し可視性を有する材料から形成された集塵部を有する本体を備え、前記集塵部を前記本体に収納した際に、前記本体が有する係止部Ａと前記集塵部が有する係止部Ｂとが連結するとともに、前記集塵部に対向する前記本体の外郭の少なくとも一部を可視性を有する材料にて形成した電気掃除機で、集塵部を本体と連結し、さらに、前記集塵部に対向する前記本体の外郭の少なくとも一部を可視性を有する材料にて形成したことで、本体の剛性を上げ、強度を向上できるとともに、大きな集塵部を取り外すことなく集塵部に捕集された塵埃量の確認ができ使用性も向上できる。
【０００８】
【発明の実施の形態】
本発明の請求項１記載の発明は、吸引風を発する電動送風機、吸引した塵埃を捕集し可視性を有する材料から形成された集塵部を有する本体を備え、前記集塵部を前記本体に収納した際に、前記本体が有する係止部Ａと前記集塵部が有する係止部Ｂとが連結するとともに、前記集塵部に対向する前記本体の外郭の少なくとも一部を可視性を有する材料にて形成した電気掃除機で、集塵部を本体と連結し、さらに、前記集塵部に対向する前記本体の外郭の少なくとも一部を可視性を有する材料にて形成したことで、本体の剛性を上げ、強度を向上できるとともに、大きな集塵部を取り外すことなく集塵部に捕集された塵埃量の確認ができ使用性も向上できる。
【０００９】
本発明の請求項２記載の発明は、集塵部は塵埃を含んだ吸引風を流入する吸気口を有し、前記吸気口の近傍にて、係止部Ａと係止部Ｂとが連結する構成としたもので、吸気口近傍にて連結することで、吸気口からの空気漏れを低減できる。
【００１０】
本発明の請求項３記載の発明は、集塵部は、前記集塵部に流入および排出する空気の漏れを防止するシール部材を有するとともに、係止部Ａと係止部Ｂが連結したとき、前記シール部材の少なくとも一方は、対向部品に接触しないように構成したもので、着脱時に必要な力を低減することができ使用性が向上できる。
【００１１】
本発明の請求項４記載の発明は、係止部Ａと係止部Ｂを連結した状態で、本体に対し集塵部が移動可能な構成としたもので、集塵部着脱時の連結部における引掛りを無くすことが可能となり、着脱性が向上し使用性が向上できる。また、多少のクリアランスを設けることで、電動送風機の吸引により集塵部が移動可能にすることで、集塵部外壁の変形を防止し耐久性が向上できる。
【００１２】
本発明の請求項５記載の発明は、係止部Ａと係止部Ｂを連結した状態で、係止部Ａに対し係止部Ｂが移動可能な構成としたもので、集塵部着脱時の連結部における引掛りを無くすことが可能となり、着脱性が向上し使用性が向上できる。また、多少のクリアランスを設けることで、電動送風機の吸引により集塵部が移動可能にすることで、集塵部外壁の変形を防止し耐久性が向上できる。
【００１３】
本発明の請求項６記載の発明は、係止部Ａに対し係止部Ｂを弾性体にて附勢する構成としたもので、集塵部着脱時の連結部における引掛りを無くすことが可能となり、着脱性が向上し使用性が向上できる。また、多少のクリアランスを設けることで、電動送風機の吸引により集塵部が移動可能にすることで、集塵部外壁の変形を防止し耐久性が向上できる。また、互いに引寄せ会う方向にばね体にて附勢することにより、集塵部と本体との一体感が向上し剛性の向上ができる。
【００１４】
本発明の請求項７記載の発明は、シール部材は、リップ形状部を有するもので、電動送風機の吸引力が作用した場合のみ、前記リップ形状部が前記吸引力によって変形し、シール機能を果たすため、着脱時に必要な力を低減することができ使用性が向上できる。
【００１５】
本発明の請求項８記載の発明は、集塵部に流入および排出する空気の漏れを防止するシール部材を、共に集塵部側に設けたもので、集塵部と本体とのエアータイトに関する寸法管理を行うことが容易となり、タイト性のバラツキを無くすことができ性能の向上ができる。
【００１６】
【実施例】
以下、本発明の一実施例を、図１〜図４を用いて説明する。
【００１７】
図１において、電気掃除機１は延長管２に取り付けた塵埃を吸引する吸込具３を有し、前記延長管２は手元ハンドル４とホース継ぎ手５付きのホース６とを介して掃除機本体７（以下、本体７と称す）に連結されている。本体７は、枢支された１個の前輪キャスター８と一対の後輪９とを備えている。
【００１８】
図２に示すように、本体７内前方に形成された集塵部収納部１０には、図１における前記吸込具３から吸引され、前記延長管２および前記ホース６内の吸引通路（図示せず）を通過し、本体７まで移送させた塵埃を吸引風と分離しまた捕集する集塵部である集塵部１１が取外し可能に装着される。また、本体７の集塵部収納部１０の後方には吸引風を発する電動送風機１２が内蔵されている。この電動送風機１２の吸入側は、開口１３を通じて空気吸入部１４に連通している。空気吸入部１４は、集塵部１１を載せた時、集塵部１１に当接する傾斜シール面１５で包囲されている。本体７後方には、排気フィルタ１６も備えており、この排気フィルター１６を通過して電動送風機１２からの排気は、本体７の機外へ放出される。更に本体７には他の部品、すなわち前記電動送風機１２の消費電力等を制御する制御部１７等の電気系統や、前記電動送風機１２に電源を供給するコードを本体７内に巻き取るコード巻き取り装置（図示せず）等が内蔵されている。
【００１９】
本体７の前壁１８は底壁１９から立ち上がっており、この底壁１９は前記集塵部収納部１０の下端面となっている。前壁１８の略中央部にはホース継ぎ手５を着脱自在に接続するための吸気口２０が設けられている。吸気口パッキン２１は吸気口２０の集塵部収納部１０側端面に取り付けられていて、吸気口２０と集塵部１１との間の空気洩れを防止している。タイト面にはリップ形状を形成することでさらにタイト性が向上される。
【００２０】
図２、図３に示すように、集塵部１１には、前記集塵部１１の下方部に設けられ吸気口２０を通過した含塵気流から粗塵を捕集する粗塵収容室２２と、前記粗塵収容室２２に重合して、本実施例では上方に重合して設けられ、粗塵をほとんど除去した気流から細塵を分離するための遠心分離室２３と、前記遠心分離室２３の下方かつ前記粗塵収容室２２と並列に設けられ前記遠心分離室２３にて遠心分離された細塵を蓄積する細塵収容室２４の３室が形成してあり、前記粗塵収容室２２と前記細塵収容室２４は相互に仕切られ区画されている。集塵部１１の集塵部前壁２５には吸入口２６を形成してあり、この吸入口２６の一端は、前記集塵部１１を本体７にセットした状態においては前記吸気口２０と同心上にあって連通し、一方他端は粗塵収容室２２と連通している。
【００２１】
粗塵収容室２２は、下部に軸部２９により開閉自在で、粗塵収納室２２と細塵収納室２４を負圧に保つため蓋パッキン３１を具備する塵収容室蓋２７を有し、粗塵捕集手段である一次フィルター３２を介して前記遠心分離室２３と連通している。前記一次フィルター３２は、粗塵収容室２２に流入した塵埃を含む吸引風のうち、粗塵を前記粗塵収容室２２にて捕集する役割を果たし、それにより前記粗塵が前記粗塵収容室２２内に蓄積される構成となっている。
【００２２】
集塵部空気吸入部３３を具備した蓋板３４には、外周にパッキング３５を嵌着されており、集塵部１１の電動送風機１２の吸気側開口に隙間無く装着することで着脱自在に取り付けられる。パッキング３５は、集塵部１１を集塵部収納部１０に取り付けた状態では、傾斜シール面１５に軽く圧着した状態となり、本体７の機外から外気が空気吸入部１４に流入することを防止している。
【００２３】
図４に示すように、本体７の前壁１８には係止部Ａ３６、集塵部１１の集塵部前壁２５には係止部Ｂ３７が設けられ、集塵部１１を集塵部挿入部１０に装着した際に勘合し合うものである。
【００２４】
次に、上記構成における動作、作用について説明する。
【００２５】
電動送風機１２を運転状態にすると、吸込具３から吸引された塵埃を含んだ空気流は延長管２とホース６を通って吸気口２０の中へ流入する。この空気流は、吸入口２６を通り粗塵収容室２２へ入った後、一次フィルター３２を通過するが、前記一次フィルター３２の穴よりも体積の大きい塵は一次フィルター３２に捕集され、前記粗塵収容室２２に蓄積される。また、前記一次フィルター３２の穴よりも体積の小さい塵埃は気流と一緒になって連通口Ａ３０を次々に通過し、遠心分離室２３に入る。
【００２６】
遠心分離室２３へ侵入する空気は、内面に沿って旋回渦流となり遠心分離室２３内を旋回する。そして遠心分離室２３に入った塵埃は、前記旋回渦流によって発生する遠心力の作用を受け、分離室壁２８の内面に沿って回転しながら、遠心力で飛ばされるようにして細塵収容室２４内に入る。
【００２７】
また、前記旋回渦流の回転中心部分の空気には殆ど塵埃がない状態となっているが、二次フィルター３８および不織布フィルター３９でろ過した後、空気吸入部１４から電動送風機１２に吸引され、排気フィルター１６を通過して更に塵埃を除去され、排気となって本体７の機外、つまり大気中へ排出される。
【００２８】
集塵部収納部１０は集塵部１１を着脱する構成のため一部（本実施例の場合は上部）が開放となってしまい、本体の剛性が低下する構成となるが、係止部Ａ３６と係止部Ｂ３７を勘合させることで、集塵部１１に集塵部収納部１０が勘合し梁の役目を果たし本体全体の剛性を向上させ、強度の向上が行えるものである。
【００２９】
また、集塵部１１は電動送風機１２運転時には、電動送風機の吸引と圧力により、傾斜シール面１５方向に引寄せられる。傾斜シール面１５とエアータイトを行っているパッキング３５は軟質であり、集塵部１１が後方に引寄せられると圧接状態で変形を起こす。しかし、係止部Ａ３６と係止部Ｂ３７により集塵部１１の動きを規制できるため、パッキング３５の変形が起きない。また、吸気口パッキン２１と集塵部前壁２５とのタイトが崩れることがなく確実にタイトを行える。
【００３０】
（実施例２）
次に、本発明の第２の実施例を、図５、図６を用いて説明する。なお、第１の実施例とに対し、パッキング３５と傾斜シール面１５との間に隙間を設けた寸法設定となるように構成したものである。
【００３１】
上記構成による作用は、電動送風機１２が停止時は、図５のように隙間を設ける。また、図６のように、電動送風機１２を運転すると負圧により、パッキング３５が斜面タイト面１５側に引寄せられエアータイトが保たれるものである。これにより、停止時はパッキング３５と傾斜シール面１５は圧接となっていないため、集塵部１１を集塵収納部１０より取り外す際にパッキング３５と傾斜シール面１５との摩擦がなくスムーズに軽い力で取り外しが可能となる。逆の装着時も同様である。このように集塵部１１の装着性が向上し使用性の向上が行える。
【００３２】
（実施例３）
次に、本発明の第３の実施例を、図７を用いて説明する。なお、第１、第２の実施例と同一構成部品については同一符号を付してその説明を省略する。
【００３３】
係止部Ａ３６と係止部Ｂ３７とに前後のクリアランスを設けて構成したものである。
【００３４】
上記構成による作用は、クリアランスを設けることで集塵部１１着脱時の連結部の引掛りを無くすことが可能となり着脱性が向上し使用性が向上できる。また、多少のクリアランスを設けることで、電動送風機１２の吸引により集塵部１１が傾斜シール面１５側に多少移動可能にすることで、集塵部収納部１０の前壁１８の変形を防止し耐久性が向上できる。また、吸気口パッキン２１と集塵部前壁２５との圧接寸法を、吸気口パッキン２１と集塵部前壁２５との最大の隙間以上に設定にすることで、確実なタイトが行えるとともに、前壁１８の変形防止を狙うことが可能となる。
【００３５】
（実施例４）
次に、本発明の第４の実施例を、図８を用いて説明する。なお、第１から第３の実施例と同一構成部品については同一符号を付してその説明を省略する。
係止部Ａ３６が前後に可動可能に形成し構成したものである。
【００３６】
上記構成による作用は、連結部を移動可能にすることにより集塵部１１着脱時の連結部引掛りを無くすことが可能となり着脱性が向上し使用性が向上できる。また、多少の移動距離を設けることで、電動送風機１２の吸引により集塵部１１が傾斜シール面１５側に多少移動可能にすることで、集塵部収納部１０の前壁１８の変形を防止し耐久性が向上できる。また、吸気口パッキン２１と集塵部前壁２５との圧接寸法を、吸気口パッキン２１と集塵部前壁２５との最大の隙間以上に設定にすることで、確実なタイトが行えるとともに、前壁１８の変形防止を狙うことが可能となる。また、可動可能な系止部は系止部Ｂ３７でも、系止部Ａ３６と系止部Ｂ３７の両方が可動可能でも同様の作用が得られる。
【００３７】
（実施例５）
次に、本発明の第５の実施例を、図９を用いて説明する。なお、第１から第４の実施例と同一構成部品については同一符号を付してその説明を省略する。
【００３８】
係止部Ａ３６が前後に可動可能でかつ他方の係止部を引寄せる側にばね体４０にて附勢され構成したものである。
【００３９】
上記構成による作用は、連結部に多少の移動距離を設けることで、電動送風機１２の吸引により集塵部１１が前壁１８に多少移動可能にすることで、前壁１８の変形を防止し耐久性が向上できる。また、互いに引寄せ会う方向にばね体４０にて附勢することにより集塵部１１と集塵部収納部１０との一体感が向上し剛性の向上ができる。また、可動可能な系止部は系止部Ｂ３７でも、系止部Ａ３６と系止部Ｂ３７の両方が可動可能でも同様の作用が得られる。
【００４０】
（実施例６）
次に、本発明の第６の実施例を、図１０を用いて説明する。なお、第１から第５の実施例と同一構成部品については同一符号を付してその説明を省略する。
【００４１】
吸気口パッキン２１のタイト面にリップ形状を形成して、係止部Ａ３６と係止部Ｂ３７が連結された状態で吸気口パッキン２１のリップは前壁１８もしくは集塵室前壁２５のいずれか一方には接触しないように構成したものである。
【００４２】
上記構成による作用は、図１０（運転時の状態）のように、運転時は吸気口パッキン２１のリップは電動送風機１２の吸引と圧力により前壁１８に圧接されエアータイトを行うことが出来る。運転停止時は（図示せず）吸気口パッキン２１が元の形状に戻り前壁１８と隙間が生じる。そのため集塵部着脱時に必要な力が低減でき使用性が向上できる。
【００４３】
また、吸気口パッキン２１を集塵部前壁１８に固定して、パッキンを全て集塵部１１側に構成することで、集塵部収納部１０と集塵部１１とのエアータイトに関する寸法管理を行うことが容易となりタイト性のバラツキを無くすことができ性能の向上ができる。
【００４４】
（実施例７）
次に、本発明の第７の実施例を、図１１、図１２を用いて説明する。なお、第１から第７の実施例と同一構成部品については同一符号を付してその説明を省略する。
【００４５】
集塵部収納部１０の側壁４１の切欠きもしくは切欠き孔４２に別部品４３を形成し構成されたものである。また、別部品４３を透明、もしくは半透明の部品にて構成したものである。
【００４６】
上記構成による作用は、別部品４３を設けることで、使用者が大きな集塵部１１を取り外すことなく、塵埃量の確認ができ使用性が向上できる。また、別部品化により色や形状のバリエーションを持てせることが可能で、多くの使用者の好みに合わせることが可能となる。別部品４３を透明または、半透明にすることでさらに目視での視認性が向上できる。
【００４７】
【発明の効果】
本発明によれば、着脱可能な集塵部を備えた電気掃除機において、本体の強度を確保するとともに、集塵部の着脱性を向上できる。
【図面の簡単な説明】
【図１】本発明の第１の実施例を示す電気掃除機の全体外観図
【図２】同本体の側断面図
【図３】図２のＡ−Ａ断面図
【図４】図２のＢ部拡大図
【図５】本発明の第２の実施例を示す図２のＣ部拡大図（運転停止時）
【図６】同図２のＣ部拡大図（運転時）
【図７】本発明の第３の実施例を示す図２のＢ部拡大図
【図８】本発明の第４の実施例を示す図２のＢ部拡大図
【図９】本発明の第５の実施例を示す図２のＢ部拡大図
【図１０】本発明の第６の実施例を示す図２のＢ部拡大図
【図１１】本発明の第７の実施例を示す本体の側断面図（集塵部なし）
【図１２】同図１０のＤ−Ｄ断面図
【符号の説明】
７    本体
１０  集塵収納部
１１  集塵部
１２  電動送風機
２１  吸気口パッキン
３５  パッキング
３６  係止部Ａ
３７  係止部Ｂ
４２  切欠きまたは孔
４３  別部品
【図１】
2004321284.tif 000003
【図２】
2004321284.tif 000004
【図３】
2004321284.tif 000005
【図４】
2004321284.tif 000006
【図５】
2004321284.tif 000007
【図６】
2004321284.tif 000008
【図７】
2004321284.tif 000009
【図８】
2004321284.tif 000010
【図９】
2004321284.tif 000011
【図１０】
2004321284.tif 000012
【図１１】
2004321284.tif 000013
【図１２】
2004321284.tif 000014